(57)【要約】      （修正有）【課題】外部からの簡単な操作により筒型フィルターの目詰まりを効果的に解消し得る簡単な構造の集塵機を提供する。【解決手段】外部エアを吸気する吸気口１３と粉塵が取り除かれた分離エアを排気する排気口１５とを備えた筺体１１と、上記筺体内に吊持状態で保持される筒型フィルターＦと、上記吸気口から上記排気口に向かう空気流を発生させるファンユニット２３と上記筺体の外側からの操作により上記筒型フィルターに物理的に作用してこれを揺動させてその外周面に集塵されている粉塵を剥離・落下させるフィルター揺動装置５１と、を具備した。【選択図】図２
0003153489.tif 000002
【実用新案登録請求の範囲】
【請求項１】
外部エアを吸気する吸気口と粉塵が取り除かれた分離エアを排気する排気口とを備えた筺体と、
上記筺体内に吊持状態で保持される筒型フィルターと、
上記気口から上記排気口に向かう空気流を発生させるファンユニットと
上記筺体の外側からの操作により上記筒型フィルターに物理的に作用してこれを揺動させてその外周面に集塵されている粉塵を剥離・落下させるフィルター揺動装置と、
を具備したことを特徴とする集塵機。
【請求項２】
請求項１記載の集塵機において、
上記フィルター揺動装置は、上記筒型フィルターの下端部に作用して筒型フィルターの下端部を揺動させる揺動作用部と、上記揺動作用部に連結されその一端が筺体外部に突出するように設置されたシフトロッドと、上記シフトロッドの一端に設けられた操作グリップと、上記操作グリップの操作方向と反対方向に上記シフトロッドを付勢する弾性部材と、を備えた構成になっていて、
上記操作グリップを介してシフトロッドを移動させると共に移動されたシフトロッドが上記弾性部材によって戻され、それらの動作の繰り返しにより上記筒型フィルターを揺動させての外周面に集塵されている粉塵を剥離・落下させることを特徴とする集塵機。
【請求項３】
請求項１又は請求項２記載の集塵機において、
上記シフトロッドの一端と筺体との摺接部には、筺体の気密性を保持するシール部材が設けられていることを特徴とする集塵機。
【請求項４】
請求項１〜請求項３の何れかに記載の集塵機において、
上記筒型フィルターは複数基設置されていて、それに対応して上記揺動作用部も複数基設けられていることを特徴とする集塵機。
【請求項５】
請求項１〜請求項４の何れかに記載の集塵機において、
上記揺動作用部は、筒型フィルターの下端部における少なくとも揺動方向の対向する２点を掴持する掴持体によって構成されていることを特徴とする集塵機。
【請求項６】
請求項１〜請求項４の何れかに記載の集塵機において、
上記揺動作用部は、筒型フィルターの下端部と係合して保持する係合保持体によって構成されていることを特徴とする集塵機。
【考案の詳細な説明】
【技術分野】
【０００１】
本考案は、例えば、レーザーヒューム、印刷パウダ、袋詰め時の粉塵、一般粉塵等の集塵に使用される筒型フィルターを使用した集塵機に係り、特に、集塵機の外側から簡易な操作によって筒型フィルターを物理的に揺動させることによりその外周面に集塵された粉塵等を剥離・落下させることができるように工夫したものに関する。
【背景技術】
【０００２】
レーザーヒューム、印刷パウダ、袋詰め時の粉塵、一般粉塵等の集塵には、吸引性能に優れたターボファンを使用して、粉塵を含んだ外部エアを吸気口から筺体内部に吸引し、筒型フィルターの側周面から筒内に上記外部エアを取り込み、粉塵を上記筒型フィルターの側周面に付着させることで、捕捉すると共に、粉塵が取り除かれた分離エアを排気口から筺体外部に排出させる方式の集塵機が従来から使用されている。
このような集塵機の構成を開示するものとして、例えば、特許文献１がある。
【０００３】
又、上記集塵機には、上記筒型フィルターの目詰まりを防止して、長時間運転を可能にするために、筒型フィルターの筒内に圧縮エアを供給し、筒型フィルターの側周面に付着した粉塵を外方に吹き飛ばして下方の回収トレイ上に剥離・落下させる方式のエアークリーニング装置を備えた集塵機が存在している。
【先行技術文献】
【特許文献】
【０００４】
【特許文献１】特開２００４−２０２３３２号公報
【考案の概要】
【考案が解決しようとする課題】
【０００５】
しかし、上記圧縮エアを利用したエアークリーニング装置を作動させただけでは、筒型フィルターの側周面に付着し目詰まりしている粉塵を効果的に払い落とすことができない場合があった。
このような場合には、集塵機の運転を一旦停止し、筒型フィルター交換用の前面扉等を開いて手作業で筒型フィルターの側周面に付着している粉塵を払い落として目詰まりを解消するようにしており、面倒な作業を余儀なくされていた。
【０００６】
本考案は、このような点に基づいてなされたものでその目的とするところは、筺体外部からの簡易な操作により筒型フィルターを揺動させてその側周面に付着している粉塵を効果的に払い落として目詰まりを防止することができる集塵機を提供することにある。
【課題を解決するための手段】
【０００７】
上記目的を達成するべく本願考案の請求項１による集塵機は、外部エアを吸気する吸気口と粉塵が取り除かれた分離エアを排気する排気口とを備えた筺体と、上記筺体内に吊持状態で保持される筒型フィルターと、上記気口から上記排気口に向かう空気流を発生させるファンユニットと、上記筺体の外側から操作により上記筒型フィルターに物理的に作用してこれを揺動させてその外周面に集塵されている粉塵を剥離・落下させるフィルター揺動装置と、を具備したことを特徴とするものである。
又、請求項２による集塵機は、請求項１記載の集塵機において、請求項１記載の集塵機において、上記フィルター揺動装置は、上記筒型フィルターの下端部に作用して筒型フィルターの下端部を揺動させる揺動作用部と、上記揺動作用部に連結されその一端が筺体外部に突出するように設置されたシフトロッドと、上記シフトロッドの一端に設けられた操作グリップと、上記操作グリップの操作方向と反対方向に上記シフトロッドを付勢する弾性部材と、を備えた構成になっていて、上記操作グリップを介してシフトロッドを移動させると共に移動されたシフトロッドが上記弾性部材によって戻され、それらの動作の繰り返しにより上記筒型フィルターを揺動させての外周面に集塵されている粉塵を剥離・落下させることを特徴とするものである。
又、請求項３による集塵機は、請求項１又は請求項２記載の集塵機において、  上記シフトロッドの一端と筺体との摺接部には、筺体の気密性を保持するシール部材が設けられていることを特徴とするものである。
又、請求項４による集塵機は、請求項１〜請求項３の何れかに記載の集塵機において、上記筒型フィルターは複数基設置されていて、それに対応して上記揺動作用部も複数基設けられていることを特徴とするものである。
又、請求項５による集塵機は、請求項１〜請求項４の何れかに記載の集塵機において、上記揺動作用部は、筒型フィルターの下端部における少なくとも揺動方向の対向する２点を掴持する掴持体によって構成されていることを特徴とするものである。
又、請求項６による集塵機は、請求項１〜請求項４の何れかに記載の集塵機において、上記揺動作用部は、筒型フィルターの下端部と係合して保持する係合保持体によって構成されていることを特徴とするものである。
【考案の効果】
【０００８】
以上述べたように、本考案による集塵機によると、外部エアを吸気する吸気口と粉塵が取り除かれた分離エアを排気する排気口とを備えた筺体と、上記筺体内に吊持状態で保持される筒型フィルターと、上記気口から上記排気口に向かう空気流を発生させるファンユニットと、上記筺体の外側からの操作により上記筒型フィルターに物理的に作用してこれを揺動させてその外周面に集塵されている粉塵を剥離・落下させるフィルター揺動装置と、を具備した構成になっているので、筺体の外部からの簡単な操作によって筒型フィルター揺動装置を動作させて、筒型フィルターを適宜揺動させることにより、その外周面に付着した粉塵を剥離・落下させることができる。
又、請求項２による集塵機は、請求項１記載の集塵機において、請求項１記載の集塵機において、上記フィルター揺動装置は、上記筒型フィルターの下端部に作用して筒型フィルターの下端部を揺動させる揺動作用部と、上記揺動作用部に連結されその一端が筺体外部に突出するように設置されたシフトロッドと、上記シフトロッドの一端に設けられた操作グリップと、上記操作グリップの操作方向と反対方向に上記シフトロッドを付勢する弾性部材と、を備えた構成になっていて、上記操作グリップを介してシフトロッドを移動させると共に移動されたシフトロッドが上記弾性部材によって戻され、それらの動作の繰り返しにより上記筒型フィルターを揺動させての外周面に集塵されている粉塵を剥離・落下させるように構成したので、比較的簡単な構成で上記効果を奏することができる。
又、請求項３による集塵機は、請求項１又は請求項２記載の集塵機において、  上記シフトロッドの一端と筺体との摺接部には、筺体の気密性を保持するシール部材が設けられているので、粉塵が筺体の外部に流出してしまうことを防止することができる。
又、請求項４による集塵機は、請求項１〜請求項３の何れかに記載の集塵機において、上記筒型フィルターは複数基設置されていて、それに対応して上記揺動作用部も複数基設けられているので、複数基の筒型フィルターに対しても容易に対応することができる。
又、請求項５による集塵機は、請求項１〜請求項４の何れかに記載の集塵機において、上記揺動作用部は、筒型フィルターの下端部における少なくとも揺動方向の対向する２点を掴持する掴持体によって構成されているので、比較的簡単な構成で所望の効果を得ることができる。
又、請求項６による集塵機は、請求項１〜請求項４の何れかに記載の集塵機において、上記揺動作用部は、筒型フィルターの下端部と係合して保持する係合保持体によって構成されているので、この場合も比較的簡単な構成で所望の効果を得ることができる。
【図面の簡単な説明】
【０００９】
【図１】本考案の第１の実施の形態を示す図で、集塵機の全体構造を示す斜視図である。
【図２】本考案の第１の実施の形態を示す図で、集塵機の全体構造を示す正面図である。
【図３】本考案の第１の実施の形態を示す図で、集塵機の全体構造を示す右側面図である。
【図４】本考案の第１の実施の形態を示す図で、集塵機のフィルター揺動装置設置部位周辺を示す縦断正面図である。
【図５】本考案の第１の実施の形態を示す図で、集塵機のフィルター揺動装置設置部位周辺を示す右側面図である。
【図６】本考案の第１の実施の形態を示す図で、集塵機のフィルター揺動装置設置部位周辺を示す平面図である。
【図７】本考案の第２の実施の形態を示す図で、集塵機のフィルター揺動装置設置部位周辺を示す縦断正面図である。
【図８】本考案の第２の実施の形態を示す図で、集塵機のフィルター揺動装置設置部位周辺を示す右側面図である。
【図９】本考案の第２の実施の形態を示す図で、集塵機のフィルター揺動装置設置部位周辺を示す平面図である。
【図１０】本考案の第３の実施の形態を示す図で、集塵機の排気室の内部構造を示す縦断正面図である。
【図１１】本考案の他の実施の形態を示す図で、集塵機のフィルター揺動装置設置部位周辺を示す平面図である。
【考案を実施するための形態】
【００１０】
以下、図１乃至図６を参照して（１）本考案の第１の実施の形態に係る集塵機１Ａ、図７乃至図９を参照して（２）本考案の第２の実施の形態に係る集塵機１Ｂ、図１０を参照して（３）本考案の第３の実施の形態に係る集塵機１Ｃについて順番に説明する。
（１）第１の実施の形態（図１〜図６参照）
第１の実施の形態による集塵機１Ａは、外部空間３と遮蔽され、仕切り板５によって下部の吸気室７と、上部の排気室９とに区画された筺体１１を具備している。
【００１１】
上記筺体１１は、図１〜図３に示すような縦に長い角箱状の部材で、下部の吸気室７には、一例として、右側面に外部エアＧの取込み口となる吸気口１３が備えられており、上部の排気室７には、一例として、上面に粉塵Ｄが取り除かれた分離エアＡの排気口１５が備えられている。
上記吸気室７には、上部に後述する筒型フィルターＦ用の収容スペースと、上記吸気口１３から取り込まれた外部エアＧを後述する筒型フィルターＦの側周面１７に供給するための吸気ダクト１９の収容スペースとが形成されており、下部に後述する回収トレイ２１用の収容スペースが形成されている。
【００１２】
又、上記排気室９には、上部に後述するファンユニット２３用の収容スペースが形成されており、下部に後述するエアークリーニング装置２５の収容スペースが形成されている。
又、上記筺体１１の前面は開放されており、上記ファンユニット２３用の収容スペースの前面には、エアークリーニング装置２５用のコントロールパネル２７が搭載されたファンユニット２３のメンテナンス用の前面扉２９が設けられ、上記エアークリーニング装置２５の収容スペースの前面には、エアークリーニング装置２５のメンテナンス用の前面扉３１が設けられている。
【００１３】
又、上記筒型フィルターＦ用の収容スペースの前面には、筒型フィルターＦを交換する場合等に使用する前面扉３３が設けられ、上記回収トレイ２１用の収容スペースの前面には、回収トレイ２１を筺体１１外に取り出す場合等に使用する前面扉３５が設けられている。
又、上記排気室９の一例として右側面側の上部には、集塵機１Ａの起動、停止等の動作を制御する制御装置３７が設けられており、上記筒体１１の下面の四隅には、集塵機１Ａを移動する場合に使用するキャスター１２が設けられている。
【００１４】
筒型フィルターＦは上面１６が開放された縦に長い筒型のフィルターで、その横断面形状はフィルターの作用面積が多くとれるように多数のひだが形成された菊形に一例として成形されている。
又、本実施の形態では、上記筒型フィルターＦは、左右方向に並設して２本設けられており、引出し式の上記仕切り板５に対して吊持状態で保持されており、上記仕切り板５には、上記筒型フィルターＦの開放された上面１６と連通する開口６が形成されている。
【００１５】
ファンユニット２３は、上記吸気口１３に吸引風を生起させる、一例として、ターボファンによって構成されている吸引ファン３９と、該吸引ファン３９を駆動するファンモータ４１とを備えることによって構成されており、上記吸引ファン３９が下部に位置するように上記ファンモータ４１は下向きに設けられている。
エアークリーニング装置２５は、上記仕切り板５の開口６から上記筒型フィルターＦの筒内に圧縮エアＣを、所定のタイミングで供給して筒型フィルターＦの側周面１７に付着した粉塵Ｄを外方に吹き飛ばして除去する装置である。
【００１６】
具体的には、上記仕切り板５の開口６の上方に設けられるノズル配管４３と、図示しないコンプレッサー等の圧縮エア生成装置と、上記ノズル配管４３と圧縮エア生成装置とを接続する図示しない接続ホース、管継手及び流量調整機器等と、を備えることによってエアークリーニング装置２５は構成されている。
尚、上記エアークリーニング装置２５は、上記筒型フィルターＦの内外のエア圧の差から目詰まりの有無を感知して自動的にあるいは手動により単発的に作動される。
【００１７】
回収トレイ２１は、浅底の引出し式の上面が開放されたトレイ様の容器であり、回収トレイ２１の上方には、吸気室７内において浮遊している粉塵Ｄや上記筒型フィルターＦの側周面１７に付着している粉塵Ｄが落下してきた場合に、上記回収トレイ２１内に回収されるように案内する案内傾斜板４５が設けられている。
【００１８】
そして、上記吸気室７に対して、本考案の特徴的構成であるフィルター揺動装置５１が設けられている。
フィルター揺動装置５１は、上記筒型フィルターＦの下端部１８に作用して、筒型フィルターＦの下端部１８を揺動させる揺動作用部５３と、上記揺動作用部５３を保持し、一端５５ａが筺体１１外部に突出するように延長形成されたシフトロッド５５と、上記シフトロッド５５の先端に設けられる操作グリップ５７と、上記筺体１１と上記操作グリップ５７ないし上記シフトロッド５５との間に縮設されるスプリング５９と、を備えることによって構成されている。
【００１９】
上記揺動作用部５３は、本実施の形態では筒型フィルターＦの下端部１８における揺動方向Ｖの対向する２つの接点Ｐ１、Ｐ２と、揺動方向Ｖと直交する方向の奥部側の接点Ｐ３とに接して、上記下端部１８を掴持する平面視コの字状の掴持体５３ａによって構成されている。
又、本実施の形態では、掴持体５３ａは、揺動方向Ｖに一定の間隔を隔てて２基設けられている。
【００２０】
上記シフトロッド５５は、本実施の形態では上記筒型フィルターＦの揺動方向Ｖに沿う上記筺体１１の対向する内壁面６１、６３間に水平に架け渡されている棒状部材によって構成されている。
具体的には、揺動方向Ｖに沿った一直線上に分割して配置されている内壁面６１側の他端５５ｂと、上記２基の掴持体５３ａ間の中間部５５ｃと、上記内壁面６３側の一端５５ａと、によってシフトロッド５５が構成されており、上記２基の掴持体５３ａと接続させることによって上記一端５５ａと他端５５ｂと中間部５５ｃとが一本のシフトロッド５５として一体化されるようになっている。
【００２１】
又、上記シフトロッド５５は、図４、６に示すように筺体１１の内壁面６１に取り付けられている側面視Ｚ型形状の軸受金具６５と、筺体１１の内壁面６３に取り付けられている平面視門型形状の軸受金具６７と、によって両持ち状態で支持されている。
そして、シフトロッド５５の他端５５ｂには、図４、６に示すように側面視Ｌ型形状のストッパー板６９が取り付けられており、該ストッパー板６９の先端面６９ａが上記軸受金具６５の基端面６５ａに当接することによって、シフトロッド５５の押込みストロークＳが設定されている。
【００２２】
又、上記シフトロッド５５の一端５５ａと筺体１１との摺接部７１には、筺体１１の気密性を保持するシール部材の一例であるカラー７３が設けられており、上記軸受金具６７は、上記カラー７３を保持する押さえ部材としての機能を併せ持っている。
又、上記シフトロッド５５の一端５５ａのうち、筺体１１の外部に突出している部分には、バネ座として機能する２枚の平ワッシャー７５、７７と、上記２枚の平ワッシャー７５、７７の間に上述したスプリング５９が、それぞれ外嵌されている。
【００２３】
操作グリップ５７は、本実施の形態では球体形状のグリップが採用されており、当該操作グリップ５７を手で握って、上記シフトロッド５５を他端５５ｂ側に押し込んだり、当該操作グリップ５７を手で叩いて、シフトロッド５５を他端５５ｂ側に移動させるようにする。
スプリング５９は、本実施の形態では圧縮コイルバネが採用されており、上記操作グリップ５７による押込み力によって収縮し、その反撥力によってシフトロッド５５を上記押込み方向と反対の戻り方向に移動させる。そして、スプリング５９は上記収縮と伸張を繰り返し、減衰しながら収束して行き、これに伴って筒型フィルターＦは揺動運動を実行するようになる。
【００２４】
次に、このようにして構成される本実施の形態の集塵機１Ａの動作態様を説明する。先ず、筺体１１下面のキャスター１２等を使用して集塵機１Ａを目的の集塵場所に移動し、設置する。
集塵機１Ａを稼働する場合には、制御装置３７の起動スイッチを押してファンモータ４１を起動させ、吸引ファン３９を回転させる。吸引ファン３９が回転すると、吸気口１３から粉塵Ｄを含んだ外部空間３に存する外部エアＧが筺体１１内に取り込まれ、吸気ダクト１９を通って筒型フィルターＦの側周面１７に向けて供給される。
【００２５】
そして、筒型フィルターＦの側周面１７に粉塵Ｄが捕捉され、粉塵Ｄと分離された分離エアＡは、筒型フィルターＦの筒内を通って上方に移動し、排気口１５から筺体１１外に排気される。
集塵機１Ａの運転に伴なって筒型フィルターＦの側周面１７に付着した粉塵Ｄの量が多くなり、目詰まりが感知されると、上記エアークリーニング装置２５が自動的に、あるいは手動によって単発的に圧縮エアＣによるエアークリーニングが実行されて、上記筒型フィルターＦの側周面１７に付着した粉塵Ｄは、上記圧縮エアＣによって外方に吹き飛ばされ、下方の回収トレイ２１上に落下し、回収される。
【００２６】
又、上記エアークリーニング装置２５によるエアークリーニングとは別に、外部からの極めて簡単な操作によって筒型フィルターＦに外周面に付着された粉塵を剥離・落下させることができる。
即ち、上記操作グリップ５７を叩くことにより筒型フィルターＦの揺動運動を実行し、強制的に筒型フィルターＦの側周面１７に付着して目詰まりを生じていた粉塵Ｄを揺り落として、下方の回収トレイ２１上に落下させて回収するものである。すなわち、操作グリップ５７を叩くことにより、シフトロッド５５を押し込み、その押し込まれたシフトロッド５５がスプリング５９によって戻され、それが繰り返されることにより、筒型フィルターＦが揺動することになる。
【００２７】
そして、このようにして構成される本実施の形態による集塵機１Ａによれば、筺体１１の外部から操作グリップ５７を叩くという簡単な操作により、筒型フィルターＦの側周面１７に付着して目詰まりを起こしている粉塵Ｄを効果的に除去することが可能になる。
又、フィルター揺動装置５１の構造は比較的簡単であり、エアークリーニング装置２５との併用によって強固な目詰まりにも対応できる。
【００２８】
（２）第２の実施の形態（図７〜図９参照）
第２の実施の形態による集塵機１Ｂは、上記第１の実施の形態による集塵機１Ａと基本的な構成は同じである。したがって、ここでは上記第１の実施の形態と相違する構成に絞って説明する。
先ず、本実施の形態では、筒型フィルターＦは１本のみ設けられている。これに伴ない、筺体１１の大きさは上記第１の実施の形態よりも一回り小さく、筺体１１の形状は、円筒形状になっており、キャスター１２の数も３つと、上記筺体１１の形状と、軽量になった分とを考慮して、１つ少なくなっている。又、シフトロッド５５は、一直線上に配置される一端５５ａと他端５５ｂとから構成されている。
【００２９】
次に、フィルター揺動装置５１Ｂの構成では、シフトロッド５５の他端５５ｂを支承する軸受金具６５Ｂの形状が、図７、９に示すように側面視門型形状に変更されており、揺動作用部５３が筒型フィルターＦの下端部１８と係合して、筒型フィルターＦの下端部１８の全周を保持する係合保持体５３ｂによって構成されている点で上記第１の実施の形態と構成を異にしている。
【００３０】
又、上記係合保持体５３ｂは、本実施の形態では上部に漏斗状の案内部８１が形成された偏平な円筒部材によって構成されている。
そして、このような構成の第２の実施の形態による集塵機１Ｂによっても、上記第１の実施の形態による集塵機１Ａと同様の作用・効果が奏され、筒型フィルターＦの揺動による目詰まりの解消を図ることができる。
【００３１】
（３）第３の実施の形態（図１０参照）
第３の実施の形態による集塵機１Ｃは、上記第１の実施の形態による集塵機１Ａと基本的な構成は同じである。したがって、ここでは上記第１の実施の形態と相違する構成に絞って説明する。
即ち、本実施の形態では、シフトロッド５５Ｃが上記筺体１１の揺動方向Ｖにおける対向する２つの側板部６２、６４に設けた軸受部材である図１０に示すような側面視門型形状の軸受金具６７Ｃによって水平に軸支されている短寸の棒状部材によって構成されている。そして、上記シフトロッド５５Ｃの筺体１１内に位置する端部には、上記第１の実施の形態と同様の掴持体５３ａが一体に接続されている。
【００３２】
又、上記シフトロッド５５Ｃを含むフィルター揺動装置５１Ｃは、筒型フィルターＦの数（２本）に対応して、左右に１組ずつ設けられており、２本の筒型フィルターＦ、Ｆを個別に揺動させることができるようになっている。
そして、このような構成の第３の実施の形態による集塵機１Ｃによっても、上記第１の実施の形態による集塵機１Ａと同様の作用・効果が奏され、筒型フィルターＦの揺動による目詰まりの解消を図ることができる。
【００３３】
尚、本考案は上述した第１〜第３の実施の形態に限定されるものではない。
例えば、筒型フィルターＦの数は、１本あるいは２本の限らず、３本以上設けることが可能である。これに伴ない、揺動作用部５３の数も１基あるいは２基に限らず３基以上設けることが可能である。
又、筒型フィルターＦを揺動させるための構成についても図示したものはあくまで一例である。
又、エアークリーニング装置２５の有無については任意である。
【００３４】
又、フィルター揺動装置５１の操作グリップ５７の設置部位にリンク機構やラックピニオン機構等の動力伝達機構を接続し、モータの動力等を使用して自動的にシフトロッド５５に揺動運動させるように構成することも可能である。
又、上記第３の実施の形態において、揺動作用部５３として掴持体５３ａに代えて係合保持体５３ｂを適用することが可能である。
【００３５】
又、掴持体５３ａの形状も平面視コの字状に限らず平面視Ｕ字状やＶ字状等、他の種々の形状が採用可能であり、係合保持体５３ｂの形状も円筒形状に限らず角筒形状等、他の筒形状でもよく、筒形状の周方向の一部に筒型フィルターＦの長手方向に延びるスリットや切り欠き等が形成されている形状であっても構わない。
【００３６】
この他、シフトロッド５５の移動方向は、軸方向に限らず図１１に示す他の実施の形態に係る集塵機１Ｄのように回動軸Ｏを中心に所定の角度、回転方向に移動する構成であってもよい。
因みに、図１１に示す実施の形態に場合には、筺体１１の形状は上記第２の実施の形態と同じ円筒形状であり、筺体１１の周胴部８５には、周方向に延びる長穴８７が形成されており、該長穴８７の一端と、該長穴８７と係合しているシフトロッド５５との間にスプリング５９が縮設されている。
そして、このような構成の集塵機１Ｄの場合には、図示のようにシフトロッド５５は回転方向に揺動し、上記各実施の形態と同様の目詰まり解消効果を得ることができる。
【産業上の利用可能性】
【００３７】
本考案は、例えば、筒型フィルターを使用した集塵機に係り、特に、集塵機の外側から簡易な操作によって筒型フィルターを物理的に揺動させることによりその外周面に集塵された粉塵等を剥離・落下させることができるように工夫したものに関し、例えば、レーザーヒューム、印刷パウダ、袋詰め時の粉塵、一般粉塵等の集塵に使用される筒型フィルターを使用した集塵機に好適である。
【符号の説明】
【００３８】
１  集塵機
３  外部空間
５  仕切り板
６  開口
７  吸気室
９  排気室
１１  筺体
１２  キャスター
１３  吸気口
１５  排気口
１６  上面
１７  側周面
１８  下端部
１９  吸気ダクト
２１  回収トレイ
２３  ファンユニット
２５  エアークリーニング装置
２７  コントロールパネル
２９  前面扉
３１  前面扉
３３  前面扉
３５  前面扉
３７  制御装置
３９  吸引ファン
４１  ファンモータ
４３  ノズル配管
４５  案内傾斜板
５１  フィルター揺動装置
５３  揺動作用部
５３ａ  掴持体
５３ｂ  係合保持体
５５  シフトロッド
５５ａ  一端
５５ｂ  他端
５５ｃ  中間部
５７  操作グリップ
５９  スプリング
６１  内壁面
６２  側板部
６３  内壁面
６４  側板部
６５  軸受金具（軸受部材）
６５ａ  基端面
６７  軸受金具（軸受部材）
６９  ストッパー板
６９ａ  先端面
７１  摺接部
７３  カラー（シール部材）
７５  平ワッシャー
７７  平ワッシャー
８１  案内部
８５  周胴部
８７  長穴
Ｇ  外部エア
Ａ  分離エア
Ｄ  粉塵
Ｆ  筒型フィルター
Ｃ  圧縮エア
Ｖ  揺動方向
Ｐ  接点
Ｓ  押込みストローク
Ｏ  回動軸
【図１】
0003153489.tif 000003
【図２】
0003153489.tif 000004
【図３】
0003153489.tif 000005
【図４】
0003153489.tif 000006
【図５】
0003153489.tif 000007
【図６】
0003153489.tif 000008
【図７】
0003153489.tif 000009
【図８】
0003153489.tif 000010
【図９】
0003153489.tif 000011
【図１０】
0003153489.tif 000012
【図１１】
0003153489.tif 000013
【手続補正書】
【提出日】平成21年7月7日(2009.7.7)
【手続補正１】
【補正対象書類名】実用新案登録請求の範囲
【補正対象項目名】全文
【補正方法】変更
【補正の内容】
【実用新案登録請求の範囲】
【請求項１】
外部エアを吸気する吸気口と粉塵が取り除かれた分離エアを排気する排気口とを備えた筺体と、
上記筺体内に吊持状態で保持される筒型フィルターと、
上記吸気口から上記排気口に向かう空気流を発生させるファンユニットと
上記筺体の外側からの操作により上記筒型フィルターに物理的に作用してこれを揺動させてその外周面に集塵されている粉塵を剥離・落下させるフィルター揺動装置と、
を具備したことを特徴とする集塵機。
【請求項２】
請求項１記載の集塵機において、
上記フィルター揺動装置は、上記筒型フィルターの下端部に作用して筒型フィルターの下端部を揺動させる揺動作用部と、上記揺動作用部に連結されその一端が筺体外部に突出するように設置されたシフトロッドと、上記シフトロッドの一端に設けられた操作グリップと、上記操作グリップの操作方向と反対方向に上記シフトロッドを付勢する弾性部材と、を備えた構成になっていて、
上記操作グリップを介してシフトロッドを移動させると共に移動されたシフトロッドが上記弾性部材によって戻され、それらの動作の繰り返しにより上記筒型フィルターを揺動させての外周面に集塵されている粉塵を剥離・落下させることを特徴とする集塵機。
【請求項３】
請求項２記載の集塵機において、
上記シフトロッドの一端と筺体との摺接部には、筺体の気密性を保持するシール部材が設けられていることを特徴とする集塵機。
【請求項４】
請求項２又は請求項３に記載の集塵機において、
上記筒型フィルターは複数基設置されていて、それに対応して上記揺動作用部も複数基設けられていることを特徴とする集塵機。
【請求項５】
請求項２〜請求項４の何れかに記載の集塵機において、
上記揺動作用部は、筒型フィルターの下端部における少なくとも揺動方向の対向する２点を掴持する掴持体によって構成されていることを特徴とする集塵機。
【請求項６】
請求項２〜請求項４の何れかに記載の集塵機において、
上記揺動作用部は、筒型フィルターの下端部と係合して保持する係合保持体によって構成されていることを特徴とする集塵機。
【手続補正２】
【補正対象書類名】明細書
【補正対象項目名】０００７
【補正方法】変更
【補正の内容】
【０００７】
上記目的を達成するべく本願考案の請求項１による集塵機は、外部エアを吸気する吸気口と粉塵が取り除かれた分離エアを排気する排気口とを備えた筺体と、上記筺体内に吊持状態で保持される筒型フィルターと、上記吸気口から上記排気口に向かう空気流を発生させるファンユニットと、上記筺体の外側から操作により上記筒型フィルターに物理的に作用してこれを揺動させてその外周面に集塵されている粉塵を剥離・落下させるフィルター揺動装置と、を具備したことを特徴とするものである。
又、請求項２による集塵機は、請求項１記載の集塵機において、請求項１記載の集塵機において、上記フィルター揺動装置は、上記筒型フィルターの下端部に作用して筒型フィルターの下端部を揺動させる揺動作用部と、上記揺動作用部に連結されその一端が筺体外部に突出するように設置されたシフトロッドと、上記シフトロッドの一端に設けられた操作グリップと、上記操作グリップの操作方向と反対方向に上記シフトロッドを付勢する弾性部材と、を備えた構成になっていて、上記操作グリップを介してシフトロッドを移動させると共に移動されたシフトロッドが上記弾性部材によって戻され、それらの動作の繰り返しにより上記筒型フィルターを揺動させての外周面に集塵されている粉塵を剥離・落下させることを特徴とするものである。
又、請求項３による集塵機は、請求項２記載の集塵機において、  上記シフトロッドの一端と筺体との摺接部には、筺体の気密性を保持するシール部材が設けられていることを特徴とするものである。
又、請求項４による集塵機は、請求項２又は請求項３に記載の集塵機において、上記筒型フィルターは複数基設置されていて、それに対応して上記揺動作用部も複数基設けられていることを特徴とするものである。
又、請求項５による集塵機は、請求項２〜請求項４の何れかに記載の集塵機において、上記揺動作用部は、筒型フィルターの下端部における少なくとも揺動方向の対向する２点を掴持する掴持体によって構成されていることを特徴とするものである。
又、請求項６による集塵機は、請求項２〜請求項４の何れかに記載の集塵機において、上記揺動作用部は、筒型フィルターの下端部と係合して保持する係合保持体によって構成されていることを特徴とするものである。
【手続補正３】
【補正対象書類名】明細書
【補正対象項目名】０００８
【補正方法】変更
【補正の内容】
【０００８】
以上述べたように、本考案による集塵機によると、外部エアを吸気する吸気口と粉塵が取り除かれた分離エアを排気する排気口とを備えた筺体と、上記筺体内に吊持状態で保持される筒型フィルターと、上記吸気口から上記排気口に向かう空気流を発生させるファンユニットと、上記筺体の外側からの操作により上記筒型フィルターに物理的に作用してこれを揺動させてその外周面に集塵されている粉塵を剥離・落下させるフィルター揺動装置と、を具備した構成になっているので、筺体の外部からの簡単な操作によって筒型フィルター揺動装置を動作させて、筒型フィルターを適宜揺動させることにより、その外周面に付着した粉塵を剥離・落下させることができる。
又、請求項２による集塵機は、請求項１記載の集塵機において、請求項１記載の集塵機において、上記フィルター揺動装置は、上記筒型フィルターの下端部に作用して筒型フィルターの下端部を揺動させる揺動作用部と、上記揺動作用部に連結されその一端が筺体外部に突出するように設置されたシフトロッドと、上記シフトロッドの一端に設けられた操作グリップと、上記操作グリップの操作方向と反対方向に上記シフトロッドを付勢する弾性部材と、を備えた構成になっていて、上記操作グリップを介してシフトロッドを移動させると共に移動されたシフトロッドが上記弾性部材によって戻され、それらの動作の繰り返しにより上記筒型フィルターを揺動させての外周面に集塵されている粉塵を剥離・落下させるように構成したので、比較的簡単な構成で上記効果を奏することができる。
又、請求項３による集塵機は、請求項２記載の集塵機において、  上記シフトロッドの一端と筺体との摺接部には、筺体の気密性を保持するシール部材が設けられているので、粉塵が筺体の外部に流出してしまうことを防止することができる。
又、請求項４による集塵機は、請求項２又は請求項３に記載の集塵機において、上記筒型フィルターは複数基設置されていて、それに対応して上記揺動作用部も複数基設けられているので、複数基の筒型フィルターに対しても容易に対応することができる。
又、請求項５による集塵機は、請求項２〜請求項４の何れかに記載の集塵機において、上記揺動作用部は、筒型フィルターの下端部における少なくとも揺動方向の対向する２点を掴持する掴持体によって構成されているので、比較的簡単な構成で所望の効果を得ることができる。
又、請求項６による集塵機は、請求項２〜請求項４の何れかに記載の集塵機において、上記揺動作用部は、筒型フィルターの下端部と係合して保持する係合保持体によって構成されているので、この場合も比較的簡単な構成で所望の効果を得ることができる。